(57)【要約】  簡易な構成で、シャフトの径方向及び軸方向への移動を規制する。  シャフト支持構造は、軸受部（７）が設けられた基体（３）と、軸受部（７）に配設される第１シャフト（２３）とを備えている。シャフト支持構造は、第１シャフト（２３）に挿通されるネジリコイルバネ（４）をさらに備えている。基体（３）には、ネジリコイルバネ（４）の第１及び第２腕部（４１，４２）がそれぞれ係合する第１係合孔（３１ａ）及び鉤状部（７４）が形成されている。ネジリコイルバネ（４）は、第１腕部（４１）が基体（３）の第１係合孔（３１ａ）に係合し且つ第２腕部（４２）が基体（３）の鉤状部（７４）に係合することで生じる弾性力によって、第１シャフト（２３）をその径方向へ軸受部（７）に対して押圧している。第２腕部（４２）の一部は、第１シャフト（２３）の軸方向一端面と対向する位置に位置している。
2010079571.tif 000002
【特許請求の範囲】
【請求項１】
軸受部が設けられた基体と、上記軸受部に配設されるシャフトとを備えたシャフト支持構造であって、
上記シャフトに挿通されるコイル部と、該コイル部の両端部からそれぞれ延びる第１及び第２腕部とを有するコイルバネをさらに備え、
上記基体には、上記コイルバネの第１及び第２腕部がそれぞれ係合する第１及び第２係合部が設けられおり、
上記コイルバネは、上記第１腕部が上記基体の第１係合部に係合し且つ上記第２腕部が上記基体の第２係合部に係合することで生じる弾性力によって、上記シャフトをその径方向へ上記軸受部に対して押圧しており、
上記第２腕部の一部は、上記シャフトの軸方向一端面と対向する位置に位置しているシャフト支持構造。
【請求項２】
請求項１に記載のシャフト支持構造において、
上記第１及び第２腕部の少なくとも一方は、係合する第１又は第２係合部によって、上記コイル部が上記シャフトから抜ける方向への移動が規制されているシャフト構造。
【請求項３】
請求項１又は２に記載のシャフト支持構造において、
上記基体には、上記第２腕部の先端部が係合する第３係合部が設けられており、
上記第２腕部は、上記第２係合部に係合する部分と上記第３係合部に係合する部分との間の部分が、上記シャフトの軸方向一端面と対向する位置に位置しているシャフト支持構造。
【請求項４】
請求項１乃至３の何れか１つに記載のシャフト支持構造において、
上記シャフトは、上記コイルバネのコイル部を貫通しているシャフト支持構造。
【請求項５】
請求項１乃至４の何れか１つに記載のシャフト支持構造と、
上記シャフトにスライド可能に支持された光ピックアップとを備えた光ディスク装置。
【発明の詳細な説明】
【技術分野】
【０００１】
本発明は、軸受部が設けられた基体と、上記基体の軸受部に配設されるシャフトとを備えたシャフト支持構造、及びそれを備えた光ディスク装置に関するものである。
【背景技術】
【０００２】
従来より、何らかの対象物をシャフトにより支持する構造が様々な機器に採用されている。このような構造では、シャフト自体が基体に支持されており、そのシャフト支持構造も様々である。【０００３】
例えば、特許文献１に係るシャフト支持構造においては、シャフトの一端部が、筐体に設けられた軸受孔に挿通されている。これにより、シャフトは、径方向への移動が規制されている。また、シャフトには、該シャフトを径方向に貫通する規制ピンが設けられている。筐体からは、シャフトに沿ってブラケットが延びている。このブラケットには、シャフトの径方向と平行に延びる長孔が形成されている。このブラケットの長孔に、規制ピンの一端が挿通されている。シャフトは、この規制ピンと長孔との係合によって、軸方向への移動が規制されている。【０００４】
また、特許文献２に係るシャフト支持構造においては、シャフトにコイルバネを挿通し、このコイルバネの弾性力によってシャフトをフレームの固定部に対して押圧固定している。詳しくは、フレームには、平面視でＬ字状に切り欠かれた固定部が形成されており、シャフトがこの固定部に配置される。また、シャフトには、コイルバネが挿通されている。シャフトには、周方向に延びる溝が形成されており、コイルバネは、この溝に嵌っている。コイルバネの両端部から延びる２つの腕部は、それぞれフレームに形成された係合孔に係合している。このとき、２つの腕部は、コイルバネをその周方向へ絞り込む方向へ付勢した状態で、フレームの係合孔に係合している。その結果、コイルバネがシャフトをフレームの固定部に押圧する。これにより、シャフトは、径方向への移動が規制されている。さらに、コイルバネは、シャフトの周方向に延びる溝に嵌り込んでいるため、シャフトに対して軸方向への相対移動が規制されている。コイルバネは、前述の如く、フレームの係合孔に係合しているため、フレームに対して固定されている。つまり、シャフトは、コイルバネとフレームとの係合及び、コイルバネと溝との係合によって、軸方向への移動が規制されている。
【先行技術文献】
【特許文献】
【０００５】
【特許文献１】実開平０２−２９３０７号公報
【特許文献２】特開平０６−２３６６３５号公報
【発明の概要】
【発明が解決しようとする課題】
【０００６】
このように、シャフトは、その径方向及び軸方向への移動が規制された状態で設置されている。しかしながら、シャフトの径方向及び軸方向への移動を規制するために、その支持構造がどうしても複雑になってしまう。例えば、特許文献１に係るシャフト支持構造においては、シャフトに規制ピンを貫通させたり、筐体にブラケットを設けたりしている。また、特許文献２に係るシャフト支持構造においては、シャフトにコイルバネが係合するための溝を形成している。【０００７】
本発明は、かかる点に鑑みてなされたものであり、その目的とするところは、簡易な構成で、シャフトの径方向及び軸方向への移動を規制することにある。
【課題を解決するための手段】
【０００８】
本発明は、軸受部が設けられた基体と、上記軸受部に配設されるシャフトとを備えたシャフト支持構造が対象である。そして、シャフト支持構造は、上記シャフトに挿通されるコイル部と、該コイル部の両端部からそれぞれ延びる第１及び第２腕部とを有するコイルバネをさらに備え、上記基体には、上記コイルバネの第１及び第２腕部がそれぞれ係合する第１及び第２係合部が設けられており、上記コイルバネは、上記第１腕部が上記基体の第１係合部に係合し且つ上記第２腕部が上記基体の第２係合部に係合することで生じる弾性力によって、上記シャフトをその径方向へ上記軸受部に対して押圧しており、上記第２腕部の一部は、上記シャフトの軸方向一端面と対向する位置に位置しているものとする。【０００９】
また、本発明に係る光ディスク装置は、上記シャフト支持構造と、上記シャフトにスライド可能に支持された光ピックアップとを備えている。
【発明の効果】
【００１０】
本発明によれば、シャフトの径方向及び軸方向への移動の規制を、簡易な構成で実現することができる。
【図面の簡単な説明】
【００１１】
【図１】図１は、本発明の実施形態に係るドライブ装置の一部を示す斜視図である。
【図２】図２は、光ディスク装置の構造を示す斜視図である。
【図３】図３は、板バネの斜視図である。
【図４】図４は、第１シャフトの後端部周辺の拡大斜視図である。
【図５】図５は、第１シャフトの後端部周辺を上方から見た拡大平面図である。
【図６】図６は、図５のVI−VI線における断面図である。
【図７】図７は、ネジリコイルバネの斜視図である。
【図８】図８は、第１シャフトの前端部周辺の拡大斜視図である。
【図９】図９は、第１シャフトの前端部周辺を別の角度から見た拡大斜視図である。
【図１０】図１０は、図８においてネジリコイルバネを取り外した状態を示す拡大斜視図である。
【図１１】図１１は、図９においてネジリコイルバネを取り外した状態を示す拡大斜視図である。
【図１２】図１２は、第１シャフトの前端部周辺を上方から見た拡大平面図である。
【図１３】図１３は、図１２のXIII−XIII線における断面図である。
【図１４】図１４は、その他の実施形態に係る第１シャフトの前端部の支持構造を示す図１３に対応する断面図である。
【図１５】図１５は、別のその他の実施形態に係る第１シャフトの前端部の支持構造を示す図１３に対応する断面図である。
【発明を実施するための形態】
【００１２】
以下、本発明の実施形態を図面に基づいて詳細に説明する。
【００１３】
《発明の実施形態》
図１は、本発明の例示的な実施形態に係るドライブ装置１の一部を示す斜視図であり、図２は、光ディスク装置１０構造を示す斜視図であって、図１の上部筐体１１及びトレイ１３を取り外した状態を示す図である。
【００１４】
＜１．ドライブ装置１の構成＞
ドライブ装置１は、上部筐体１１と、下部筐体１２と、トレイ１３とを備える。上部筐体１１は、下部筐体１２に取り付けられている。それにより、上部筐体１１と下部筐体１２とで、側周面の１つが開口する箱状の筐体が形成される。トレイ１３は、上部筐体１１と下部筐体１２とで構成される筐体に内に配設され、１つの側周面に形成された開口から筐体の内外に進退自在に構成されている。下部筐体１２には、光ディスク装置１０が設けられている。
【００１５】
尚、本明細書中では、便宜上、上部筐体１１が位置する側を「上」、下部筐体１２が位置する側を「下」、トレイ１３が筐体から出て行く方向を（即ち、開口している側）を「前」、トレイ１３が筐体内へ入る方向を「後」とする。また、「前」を向いたときの右側を「右」、左側を「左」とする。
【００１６】
光ディスク装置１０は、図２に示すように、基体３と、スピンドル機構２１と、光ピックアップ２２と、第１シャフト２３と、第２シャフト２４と、ステッピングモータ２５と、リードスクリュ２６と、ネジリコイルバネ４と、３つの板バネ支持部５，５，…とを備えている。スピンドル機構２１、光ピックアップ２２、第１シャフト２３、第２シャフト２４、ステッピングモータ２５、リードスクリュ２６、ネジリコイルバネ４、及び３つの板バネ支持部５，５，…は、基体３に取り付けられている。そして、基体３は、４つの防振ゴム２９，２９，…を介して下部筐体１２に取り付けられている。
【００１７】
基体３は、板金により形成されたベース板３０で構成されている。ベース板３０は、前側短辺部３１と、後側短辺部３２と、右側長辺部３３と、左側長辺部３４とを有し、全体として枠形状をしている。後側短辺部３２は、右側長辺部３３の後端から左側へ延びる右後短辺部３２ａと、左側長辺部３４の後端から右側へ延びる左後短辺部３２ｂと、右後短辺部３２ａの後端縁と左後短辺部３２ｂの後端縁とを連結する中央連結部３２ｃとを有し、中央が大きく切り欠かれた形状をしている。
【００１８】
スピンドル機構２１は、スピンドルモータ及び機構部品等を含んで構成され、光ディスクを保持して、光ディスクを回転させるものである。スピンドル機構２１は、基体３の前側短辺部３１にネジにより固定されている。
【００１９】
第１シャフト２３と第２シャフト２４とは、互いに平行な状態で且つ、スピンドル機構２１を挟んだ状態で基体３に取り付けられている。詳しくは、第１シャフト２３は、スピンドル機構２１の右側に位置する一方、第２シャフト２４は、スピンドル機構２１の左側に位置し、両者は、前後方向に延びている。第１シャフト２３は、前端部がネジリコイルバネ４を介して、後端部が板バネ支持部５を介して基体３に取り付けられている。また、第２シャフト２４は、両端部がそれぞれ板バネ支持部５，５を介して基体３に取り付けられている。第１シャフト２３は、シャフトの一例である。これら第１及び第２シャフト２３，２４の支持構造の詳細については、後述する。
【００２０】
リードスクリュ２６は、基端部がステッピングモータ２５に連結されており、該ステッピングモータ２５によって回転駆動される。ステッピングモータ２５は、リードスクリュ２６が第１シャフト２３と隣り合う状態で且つ第１シャフト２３と平行な状態で基体３の右側長辺部３３に固定されている。すなわち、第１シャフト２３と、第２シャフト２４と、リードスクリュ２６は、互いに平行になっている。リードスクリュ２６の先端部は、基体３の右側長辺部３３に回転自在に支持されている。リードスクリュ２６には、ネジ溝が切り込まれている。
【００２１】
光ピックアップ２２は、光源、光学系やセンサ等が設けられた本体部２２ａを有している。本体部２２ａの右端部には、第１シャフト２３に嵌合する第１嵌合部２２ｂ，２２ｂが設けられている。また、本体部２２ａの左端部には、第２シャフト２４に嵌合する第２嵌合部２２ｃが設けられている。さらに、第１嵌合部２２ｂには、リードスクリュ２６のネジ溝に螺合する螺合部２２ｄが一体的に取り付けられている。光ピックアップ２２は、第１及び第２嵌合部２２ｂ，２２ｃがそれぞれ第１及び第２シャフト２３，２４に嵌合することによって、第１及び第２シャフト２３，２４に沿ってスライド可能な状態で第１及び第２シャフト２３，２４に支持されている。この状態において、螺合部２２ｄは、リードスクリュ２６に螺合している。
【００２２】
このように構成された光ピックアップ２２は、リードスクリュ２６がステッピングモータ２５によって回転駆動されると、螺合部２２ｄがリードスクリュ２６のネジ溝に案内されながらリードスクリュ２６の軸方向へ移動する。螺合部２２ｄがリードスクリュ２６の軸方向へ移動すると、第１嵌合部２２ｂ，２２ｂも共にリードスクリュ２６の軸方向へ、即ち、第１シャフト２３の軸方向へ移動する。こうして、光ピックアップ２２は、第１及び第２シャフト２３，２４の軸方向へ移動する。その結果、光ピックアップ２２は、スピンドル機構２１に保持された光ディスクの径方向に移動することになる。光ピックアップ２２は、光ディスクの所定の半径位置において、スピンドル機構２１により回転させられる光ディスクからデータを読み出したり、該光ディスクへデータを記録したりする。
【００２３】
＜２．板バネ支持部による第１シャフトの支持構造＞
続いて、板バネ支持部５による第１シャフト２３の支持構造について図３〜６を参照しながら説明する。図３は、板バネの斜視図であり、図４は、第１シャフト２３の後端部周辺の拡大斜視図であり、図５は、第１シャフト２３の後端部周辺を上方から見た拡大平面図であり、図６は、図５のVI−VI線における断面図である。
【００２４】
板バネ支持部５は、基体３に設けられた左縦壁部３５ａ及び右縦壁部３５ｂと、基体３に取り付けられる板バネ６と、基体３に螺合されるネジ５０とを有している。
【００２５】
板バネ６は、第１立壁部６１と、該第１立壁部６１に対向し且つ該第１立壁部６１と平行な第２立壁部６２と、第１立壁部６１の上端縁の前端部分と第２立壁部６２の上端縁の前端部分とを該第１及び第２立壁部６１，６２の上方において連結する連結部６３と、第１立壁部６１の上端縁の後端部分から第２立壁部６２側へ斜め上方に延びる押さえ部６４と、第２立壁部６２の後端縁から第１立壁部６１側へ延びる規制部６５とを有している。板バネ６は、１枚の板金を折り曲げて形成されている。
【００２６】
第１立壁部６１の下端部には、内側に折り返された折返し部６１ａが形成されている。同様に、第２立壁部６２の下端部には、内側に折り返された折返し部６２ａが形成されている。また、第１立壁部６１には、連結部６３と押さえ部６４との間に切り込み６１ｂが形成されている。押さえ部６４は、図６に示すように、連結部６３よりも板バネ６の内方に位置している。
【００２７】
基体３の右後短辺部３２ａには、右後短辺部３２ａから立設する左縦壁部３５ａと右縦壁部３５ｂとが形成されている。これら左縦壁部３５ａ及び右縦壁部３５ｂは、右後短辺部３２ａの左前の角部に設けられている。左縦壁部３５ａと右縦壁部３５ｂとの間隔は、第１シャフト２３の外径よりも少し広くなっている。右後短辺部３２ａには、右縦壁部３５ｂの後方位置に、前後方向に延びる係合孔３５ｃが貫通形成されている。また、右後短辺部３２ａには、係合孔３５ｃの左側にネジ孔３５ｄが貫通形成されている。このネジ孔３５ｄには、右後短辺部３２ａの裏側（即ち、スピンドル機構２１が設けられている側とは反対側）からネジ５０が螺合されている。
【００２８】
続いて、第１シャフト２３の後端部の支持構造の組立について説明する。
【００２９】
まず、後側短辺部３２の右後短辺部３２ａに、上記板バネ６が取り付けられる。詳しくは、板バネ６の第２立壁部６２の折返し部６２ａを右後短辺部３２ａの左端縁に引っ掛けると共に、板バネ６の第１立壁部６１の折返し部６１ａを右後短辺部３２ａの係合孔３５ｃに挿通して右後短辺部３２ａの裏面に係止させる。
【００３０】
次に、第１シャフト２３の後端部を、左縦壁部３５ａと右縦壁部３５ｂとの間を通して、板バネ６内に挿通させる。この状態では、第１シャフト２３は、板バネ６内において上下方向に移動する余裕がある。その後、ネジ５０を右後短辺部３２ａのネジ孔３５ｄに裏側から螺合する。このネジ孔３５ｄは、第１シャフト２３の下方に位置する。そのため、ネジ５０をねじ込むと、ネジ５０の先端が第１シャフト２３に当接して第１シャフト２３を上方へ押し上げる。やがて、第１シャフト２３は、板バネ６の押さえ部６４に当接する。さらに、ネジ５０をねじ込むと、押さえ部６４が弾性変形して、第１シャフト２３を左斜め下方に押圧する。この押さえ部６４の弾性力は、左向き成分と下向き成分とに分解され、それぞれが第１シャフト２３を左縦壁部３５ａ及びネジ５０に対して押圧する。こうして、第１シャフト２３の後端部は、押さえ部６４、左縦壁部３５ａ及びネジ５０の３点で支持され、径方向の移動が規制される。このとき、第１シャフト２３の後端面の軸方向後方の位置には、板バネ６の規制部６５が位置している。つまり、第１シャフト２３の後端面は、規制部６５と対向している。そのため、仮に、第１シャフト２３が軸方向後方に移動したとしても、第１シャフト２３は規制部６５に当接し、それ以上の軸方向後方への移動が規制される。尚、第１シャフト２３の後端面と板バネ６の規制部６５とは、始めから当接していてもよい。
【００３１】
尚、この状態において、右縦壁部３５ｂは第１シャフト２３と当接していないため、省略してもよい。ただし、第１シャフト２３を板バネ６内に設置するときに第１シャフト２３の位置が安定し、組立性が向上するため、右縦壁部３５ｂを設ける方が好ましい。
【００３２】
また、組立順序は上述の順序に限られるものではなく、組み立てることができる限りにおいては、任意の順序で組み立てることができる。例えば、板バネ６に第１シャフト２３の後端部を挿通した状態で、該板バネ６を右後短辺部３２ａに取り付けてもよい。また、ネジ５０を予め右後短辺部３２ａに螺合させておいてもよい。
【００３３】
＜３．ネジリコイルバネによる第１シャフトの支持構造＞
次に、ネジリコイルバネ４による第１シャフト２３の支持構造について、図７〜図１３を参照しながら詳しく説明する。図７は、ネジリコイルバネ４の斜視図であり、図８は、第１シャフト２３の前端部周辺の拡大斜視図であり、図９は、第１シャフト２３の前端部周辺を別の角度から見た拡大斜視図であり、図１０は、図８においてネジリコイルバネ４を取り外した状態を示す拡大斜視図であり、図１１は、図９においてネジリコイルバネ４を取り外した状態を示す拡大斜視図であり、図１２は、第１シャフト２３の前端部周辺を上方から見た拡大平面図であり、図１３は、図１２のXIII−XIII線における断面図である。
【００３４】
ネジリコイルバネ４は、金属で構成されている。ネジリコイルバネ４は、図３に示すように、コイル状に巻回されたコイル部４０と、コイル部４０の一端からコイル部４０の接線方向に延びる第１腕部４１と、コイル部４０の他端からコイル部４０の接線方向に延びる第２腕部４２とを有している。コイル部４０の内径は、第１シャフト２３の外径よりも大きくなっている。つまり、コイル部４０内に、第１シャフト２３が挿通可能となっている。第１腕部４１の先端部は、コイル部４０の軸方向に向かって見たときに（図１３参照）、コイル部４０とは反対側へ屈曲している。第２腕部４２は、コイル部４０の他端部から接線方向に延びる接線部４３と、接線部４３の先端から屈曲してコイル部４０の軸方向に延びる軸方向部４４と、軸方向部４４の先端から屈曲して接線部４３と平行に延びる平行部４５と、平行部４５の先端から屈曲して、コイル部４０の軸方向に向かって見たときに（図１３参照）、コイル部４０を横切るように延びる横断部４６とを有している。第２腕部４２の接線部４３は、コイル部４０の軸方向に向かって見たときに（図１３参照）、第１腕部４１とのなす角が９０°よりも少し大きくなる方向へ延びている。このネジリコイルバネ４は、コイルバネの一例である。
【００３５】
基体３の前側短辺部３１には、スピンドル機構２１の右側の位置に軸受部７が設けられている。軸受部７は、前側短辺部３１の一部を折り曲げて形成されており、前側短辺部３１に対して略垂直になっている。軸受部７は、前側短辺部３１と連結され且つ前側短辺部３１と平行な底壁部７１と、底壁部７１の両端部から上方に延びる右縦壁部７２及び左縦壁部７３とを有している。すなわち、軸受部７は、概ねＵ字状をして、上方に開口している。軸受部７は、Ｕ字状の内側端面が軸受として機能する。
【００３６】
右縦壁部７２からは、鉤状部７４が前方へ向かって延びている。鉤状部７４は、先端部が鉤状に形成されている。詳しくは、鉤状部７４は、右縦壁部７２から前方へ向かって延びた後、上方へ向かって湾曲し、その後、後方へ向かって湾曲し、最後に、下方へ向かって湾曲している。こうして、鉤状部７４の先端部は、後方へ開口する鉤状に形成されている。この鉤状部７４が、第２係合部の一例である。
【００３７】
また、基体３の前側短辺部３１には、軸受部７よりも前側の位置に、第１係合孔３６が貫通形成されている。第１係合孔３６は、略方形状をしている。この第１係合孔３６が、第１係合部の一例である。
【００３８】
さらに、前側短辺部３１には、第１係合孔３６及び鉤状部７４よりも前方の位置に、第２係合孔３７が形成されている。詳しくは、第２係合孔３７は、左右方向、即ち、平面視で、第１シャフト２３の軸方向と直交する方向に延びる長孔である。第２係合孔３７は、左右方向において左に向かうにつれて幅が段階的に減少するように、第２係合孔３７の前端縁が段差形状となっている。詳しくは、第２係合孔３７の前端縁は、最も右側に位置し後端縁と平行に（即ち、左右方向に）延びる第１平行部３７ａと、第１平行部３７ａの左端から左斜め後方に延びる第１傾斜部３７ｂと、第１傾斜部３７ｂの左端から後端縁と平行に（即ち、左右方向に）延びる第２平行部３７ｃと、第２平行部３７ｃの左端から左斜め後方に延びる第２傾斜部３７ｄとを有している。平面視において、第２平行部３７ｃは、軸受部７の底壁部７１の前方に位置している。この第２係合孔３７が、第３係合部の一例である。
【００３９】
続いて、第１シャフト２３の前端部の支持構造の組立について説明する。
【００４０】
まず、第１シャフト２３を、軸受部７に対して、その内側端面に当接するように上方から設置する。
【００４１】
次に、第１シャフト２３の前端部に前方からネジリコイルバネ４のコイル部４０を挿通する。このとき、第１腕部４１が後方に、第２腕部４２が前方に位置する状態で、コイル部４０を第１シャフト２３に挿通する。さらに、このとき、第１腕部４１の先端部が基体３の第１係合孔３６に挿通されるようにしながら、コイル部４０を第１シャフト２３に挿通する。
【００４２】
この状態において、ネジリコイルバネ４の第２腕部４２の接線部４３、軸方向部４４及び平行部４５は、第１シャフト２３から右斜め上方に延びており、基体３の鉤状部７４よりも上方に位置している。また、ネジリコイルバネ４の横断部４６は、その先端部が基体３の第２係合孔３７に挿通されている。
【００４３】
続いて、第２腕部４２を基体３側へ押し下げて、第２腕部４２の接線部４３を鉤状部７４に係合させる。このとき、第１シャフト２３の軸方向（即ち、前後方向）において、第２腕部４２の接線部４３は、鉤状部７４の先端部よりも前方に位置しているため、接線部４３を斜め後方に押し下げる。接線部４３を、十分に押し下げた後、前方へ移動させて、鉤状部７４に対して後方から係合させる。
【００４４】
この状態において、図１３に示すように、第１腕部４１は、基体３の第１係合孔３６に係合して、第１係合孔３６の辺縁部から矢印Ａ１の方向への力を受ける。一方、第２腕部４２は、鉤状部７４に係合して、鉤状部７４から矢印Ａ２の方向への力を受ける。その結果、コイル部４０は、巻回方向に絞り込まれるように付勢されると共に、第１腕部４１と第２腕部４２とでなす角の二等分線の方向（矢印Ｂの方向）へ第１シャフト２３を押圧することになる。この矢印Ｂの方向は、右斜め下方を向いている。このネジリコイルバネ４の弾性力は、右向き成分と下向き成分とに分解され、それぞれが第１シャフト２３を軸受部７の右縦壁部７２及び底壁部７１に対して押圧する。こうして、第１シャフト２３の前端部は、ネジリコイルバネ４、軸受部７の右縦壁部７２及び底壁部７１の３点で支持され、径方向への移動が規制される。
【００４５】
尚、ネジリコイルバネ４による支持状態において、左縦壁部７３は第１シャフト２３と当接していないため、省略してもよい。ただし、第１シャフト２３を軸受部７に設置するときに第１シャフト２３の位置が安定し、組立性が向上するため、左縦壁部７３を設ける方が好ましい。
【００４６】
また、第２腕部４２を鉤状部７４に係合させるときに、第２腕部４２の横断部４６は、第２係合孔３７内をその前端縁に沿って左側へ移動していく。すなわち、コイル部４０を第１シャフト２３に挿通させただけの状態においては、横断部４６は、第２係合孔３７の第１平行部３７ａ又は第１傾斜部３７ｂに当接している。そして、横断部４６は、第２腕部４２が押し下げられるにつれて、第２係合孔３７の第１傾斜部３７ｂ及び第２平行部３７ｃに沿って左側へ移動していく。最終的に、第２腕部４２が鉤状部７４に係合したときには、横断部４６は、第２係合孔３７のうち、第２平行部３７ｃと第２傾斜部３７ｄとで形成される隅部に位置する。その結果、横断部４６は、第１シャフト２３の前端面（即ち、軸方向一端面）に対して軸方向前方に位置する。すなわち、横断部４６は、第１シャフト２３の前端面と対向する位置に位置している。横断部４６は、第２係合孔３７の第２平行部３７ｃと係合して前方への移動が規制されている。さらに、第２腕部４２において横断部４６の基端側に位置する接線部４３は鉤状部７４に係合して前方への移動が規制されている。そのため、仮に、第１シャフト２３が軸方向前方に移動したとしても、第１シャフト２３は第２腕部４２の横断部４６に当接し、第２腕部４２の接線部４３、軸方向部４４、平行部４５及び横断部４６の弾性力によって軸方向後方へ押し返される（図８の矢印Ｃ参照）。こうして、第１シャフト２３は、軸方向前方への移動が規制される。尚、第１シャフト２３の前端部とネジリコイルバネ４の横断部４６とは、始めから当接していてもよい。
【００４７】
尚、組立順序は上述の順序に限られるものではなく、組み立てることができる限りにおいては、任意の順序で組み立てることができる。例えば、ネジリコイルバネ４を第１シャフト２３の一端部に挿通した状態で、ネジリコイルバネ４の第１腕部４１の先端部を基体３の第１係合孔３６に挿通しながら、該第１シャフト２３を軸受部７に設置するようにしてもよい。
【００４８】
第１シャフト２３の前端部の支持構造と後端部の支持構造とは、どちらを先に組み立ててもよい。例えば、第１シャフト２３の後端部をネジ５０を締め付けない状態で板バネ支持部５により支持した後、第１シャフト２３の前端部をネジリコイルバネ４により支持し、最終的に、ネジ５０を締め付けるように組み立ててもよい。また、第１シャフト２３のピッチ方向への傾き（即ち、上下方向への傾き）は、前端部の軸受部７を基準として、後端部のネジ５０で調節することができる。
【００４９】
尚、第２シャフト２４については、前端部も後端部も板バネ支持部５，５で支持されている。そのため、第２シャフト２４のピッチ方向への傾きは、前端部の板バネ支持部５のネジ（図示省略）と後端部の板バネ支持部５のネジ（図示省略）の両方で調整することができる。
【００５０】
したがって、本実施形態によれば、ネジリコイルバネ４の第１腕部４１と第２腕部４２とをコイル部４０を絞り込む状態で基体３に係合させることによって、第１シャフト２３を軸受部７に押圧して支持することができる。具体的には、第１シャフト２３を、ネジリコイルバネ４のコイル部４０と、基体３における軸受部７の底壁部７１と右縦壁部７２との３点で支持することができる。これにより、第１シャフト２３の径方向への移動を規制することができる。このとき、第２腕部４２を、第１シャフト２３の軸方向前方に位置させることによって、仮に第１シャフト２３が軸方向前方へ移動したとしても、第１シャフト２３が第２腕部４２に当接するようになる。これにより、第１シャフト２３の軸方向への移動を規制することができる。その結果、第１シャフト２３が前方へ移動して、第１シャフト２３の後端部が板バネ支持部５から抜けてしまうことを防止することができる。このように、軸受部７とネジリコイルバネ４という簡易な構成によって、第１シャフト２３の径方向への移動と軸方向への移動を規制することができる。
【００５１】
このとき、第２腕部４２は、接線部４３が基体３の鉤状部７４に係合して前方への移動が規制されている。つまり、第１シャフト２３が前方へ移動して第２腕部４２の横断部４６に当接したとしても、ネジリコイルバネ４の前方への移動が規制されているため、第１シャフト２３の移動を横断部４６で受け止めることができる。
【００５２】
さらに、第１シャフト２３の前端面と対向する、第２腕部４２の横断部４６は、基体３の第２係合孔３７の前端縁に係合しているため、第１シャフト２３の軸方向前方への移動を基体３で受け止めることができる。つまり、横断部４６が自由端となっている構成と比較して、第１シャフト２３の軸方向前方への移動をより強い力で規制することができる。
【００５３】
また、第１シャフト２３がネジリコイルバネ４のコイル部４０を貫通しているため、第１腕部４１及び第２腕部４２の基体３との係合によるネジリコイルバネ４の押圧力を第１シャフト２３に十分に伝えることができる。すなわち、第１腕部４１及び第２腕部４２をコイル部４０を絞り込むように付勢したとしても、コイル部４０において大きな付勢力が発生するのは、第１腕部４１や第２腕部４２に近い両端部、即ち、コイル部４０の軸方向両端部である。そして、第１シャフト２３にコイル部４０を貫通させることによって、コイル部４０の軸方向両端部が第１シャフト２３に巻回されることになる。こうして、コイル部４０の軸方向両端部を第１シャフト２３に巻回させることによって、ネジリコイルバネ４の押圧力を第１シャフト２３に効率良く伝えることができる。その結果、第１シャフト２３の径方向への移動を強い力で規制することができる。
【００５４】
さらに、第２腕部４２を折り返した形状とすることによって、第２腕部４２の先端部を第１シャフト２３の軸方向前方の位置に位置させることが容易にできる。また、第２腕部４２に折り返した部分を形成することによって、第２腕部４２を基体３側の部材（即ち、鉤状部７４）に係合させるべく第２腕部４２を押圧する際に指を掛ける部分を形成することができる。その結果、第２腕部４２を押圧するときの操作性を向上させることができる。
【００５５】
また、ネジリコイルバネ４は、第１シャフト２３に対しては挿通するだけであって、基体３と係合させているため、組立性を向上させることができる。すなわち、ネジリコイルバネ４を第１シャフト２３に予め取り付けておかなくても、第１シャフト２３を軸受部７に設置した後で、ネジリコイルバネ４を第１シャフト２３に挿通させて、該ネジリコイルバネ４を基体３に係合させることで、第１シャフト２３の支持構造を組み立てることができる。つまり、第１シャフト２３を軸受部７に設置する際には、第１シャフト２３には弾性力等の外部からの力が作用しておらず、軸受部７に容易に設置することができる。
【００５６】
《その他の実施形態》
本発明は、上記実施形態について、以下のような構成としてもよい。
【００５７】
上記実施形態では、光ディスク装置１０におけるシャフト支持構造について説明したが、これに限られるものではない。例えば、プリンタ装置のヘッドをスライド自在に支持するシャフトに、上記実施形態に係るシャフト支持構造を採用してもよい。つまり、上記実施形態に係るシャフト支持構造は、何らかの対象物を支持するシャフトであれば、任意のシャフトに採用することができる。
【００５８】
上記基体３は、第１シャフト２３を支持する基礎となる部分の一例であって、上記の構成に限られるものではない。例えば、基体３は、板金で形成されている必要はなく、ブロック状の部材で形成されていてもよい。
【００５９】
第１シャフト２３の後端部、及び第２シャフト２４の両端部は、板バネ支持部５，５，…で支持しているが、これに限られるものではない。すなわち、第１シャフト２３の後端部、及び第２シャフトの両端部を基体３に対して軸方向への移動と径方向への移動とを規制できるものであれば、任意の構造を採用することができる。尚、第１シャフト２３の後端部、及び第２シャフト２４の両端部も、ネジリコイルバネ４を用いて支持してもよい。
【００６０】
また、第１シャフト２３は、コイル部４０を貫通しているが、これに限られるものではない。すなわち、コイル部４０の全てが第１シャフト２３に巻回されている必要はない。
【００６１】
さらに、コイル部４０は、何重にも巻回されているが、１回巻回されているだけであってもよい。本明細書において、「コイル」とは、少なくとも１回巻回されている形状を意味する。
【００６２】
さらにまた、第１及び第２腕部４１，４２は、コイル部４０の接線方向に延びているが、これに限られるものではない。例えば、第１及び第２腕部４１，４２は、コイル部４０の軸方向を向いて見たときに、コイル部４０の接線方向よりもコイル部４０から離れる方向へ、即ち、径方向外側へ延びていてもよいし、コイル部４０の接線方向よりもコイル部４０の内周側へ、即ち、コイル部４０を横断するように延びていてもよい。
【００６３】
例えば、第２腕部４２は、コイル部４０の軸方向を向いて見たときに、コイル部４０の端部からコイル部４０を横断するように延びていてもよい。詳しくは、図１４に示すように、第２腕部４２は、コイル部４０の端部からコイル部４０の径方向内側へ延びて、コイル部４０を横断していてもよい。あるいは、図１５に示すように、第２腕部４２は、コイル部４０の端部からコイル部４０の径方向内側へ延びて、コイル部４０の軸心近傍において略９０°屈曲してコイル部４０の径方向外側へ延びて、コイル部４０を横断していてもよい。何れの場合であっても、第１シャフト２３は、コイル部４０を貫通しておらず、コイル部４０の軸方向前側の最外周は第１シャフト２３に巻回されていない。つまり、第２腕部における、コイル部４０を横断する部分は、第１シャフト２３の軸方向前方に位置するようになり、第１シャフト２３の軸方向前端面と対向する。また、この場合、鉤状部７４は、第２腕部４２をコイル部４０を絞り込む方向へ付勢する機能と、第２腕部４２の前方への移動を規制する機能を果たす。そのため、上記第２腕部４２の軸方向部４４、平行部４５及び横断部４６、並びに基体３の第２係合孔３７は無くてもよい。これらが無くても、第２腕部４２は鉤状部７４により前方への移動が規制されているため、仮に第１シャフト２３が前方へ移動して第２腕部４２に当接したとしても、第１シャフト２３のそれ以上の前方への移動を規制することができる。
【００６４】
また、基体３の第１係合孔３６は、ネジリコイルバネ４の第１腕部４１をコイル部４０を絞り込む方向に付勢できる構成であれば、孔の形状に限られるものではない。同様に、基体３の第２係合孔３７は、ネジリコイルバネ４の第２腕部４２の横断部４６の前方への移動を規制できる構成であれば、孔の形状に限られるものではない。どちらについても、例えば、基体３から立設するリブやブロックであってもよい。尚、これらのリブやブロックは、基体３と一体に形成されているものに限らず、基体３とは別体として形成されて基体３に取り付けられたものであってもよい。
【００６５】
さらに、鉤状部７４は、上記の構成に限られるものではない。すなわち、鉤状部７４は、軸受部７と一体的に構成されている必要はなく、基体３に対して固定的に設けられた構成であればよい。すなわち、鉤状部７４は、基体３のベース板３０に一体に形成されていてもよく、ベース板３０と別体として形成されてベース板３０に取り付けられたものであってもよい。
【００６６】
尚、以上の実施形態は、本質的に好ましい例示であって、本発明、その適用物、あるいはその用途の範囲を制限することを意図するものではない。
【産業上の利用可能性】
【００６７】
以上説明したように、本発明は、軸受部が設けられた基体と、上記基体の軸受部に配設されるシャフトとを備えたシャフト支持構造について有用である。
【符号の説明】
【００６８】
１０    光ディスク装置
２２    光ピックアップ
２３    第１シャフト（シャフト）
３      基体
３６    第１係合孔（第１係合部）
３７    第２係合孔（第３係合部）
４      ネジリコイルバネ（コイルバネ）
４０    コイル部
４１    第１腕部
４２    第２腕部
７      軸受部
７４    鉤状部（第２係合部）
【図１】
2010079571.tif 000003
【図２】
2010079571.tif 000004
【図３】
2010079571.tif 000005
【図４】
2010079571.tif 000006
【図５】
2010079571.tif 000007
【図６】
2010079571.tif 000008
【図７】
2010079571.tif 000009
【図８】
2010079571.tif 000010
【図９】
2010079571.tif 000011
【図１０】
2010079571.tif 000012
【図１１】
2010079571.tif 000013
【図１２】
2010079571.tif 000014
【図１３】
2010079571.tif 000015
【図１４】
2010079571.tif 000016
【図１５】
2010079571.tif 000017
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
軸受部が設けられた基体と、上記軸受部に配設されるシャフトとを備えたシャフト支持構造であって、
上記シャフトに挿通されるコイル部と、該コイル部の両端部からそれぞれ延びる第１及び第２腕部とを有するコイルバネをさらに備え、
上記基体には、上記コイルバネの第１及び第２腕部がそれぞれ係合する第１及び第２係合部が設けられおり、
上記コイルバネは、上記第１腕部が上記基体の第１係合部に係合し且つ上記第２腕部が上記基体の第２係合部に係合することで生じる弾性力によって、上記シャフトをその径方向へ上記軸受部に対して押圧しており、
上記第２腕部の一部は、上記シャフトの軸方向一端面と対向する位置に位置しているシャフト支持構造。
【請求項２】
請求項１に記載のシャフト支持構造において、
上記第１及び第２腕部の少なくとも一方は、係合する第１又は第２係合部によって、上記コイル部が上記シャフトから抜ける方向への移動が規制されているシャフト構造。
【請求項３】
請求項１又は２に記載のシャフト支持構造において、
上記基体には、上記第２腕部の先端部が係合する第３係合部が設けられており、
上記第２腕部は、上記第２係合部に係合する部分と上記第３係合部に係合する部分との間の部分が、上記シャフトの軸方向一端面と対向する位置に位置しているシャフト支持構造。
【請求項４】
請求項１乃至３の何れか１つに記載のシャフト支持構造において、
上記シャフトは、上記コイルバネのコイル部を貫通しているシャフト支持構造。
【請求項５】
請求項１乃至４の何れか１つに記載のシャフト支持構造と、
上記シャフトにスライド可能に支持された光ピックアップとを備えた光ディスク装置。
【請求項６】
基体にシャフトを支持するためのコイルバネであって、
請求項１に記載のシャフト支持構造に用いられるコイルバネ。
【請求項７】
軸受部が設けられ、該軸受部にシャフトを支持する基体であって、
請求項１に記載のシャフト支持構造に用いられる基体。
【請求項８】
基体にシャフトを支持するためのコイルバネであって、
シャフトに挿通されるコイル部と、該コイル部の両端部からそれぞれ延びる第１及び第２腕部とを有し、
上記第１腕部及び上記第２腕部を、前記コイル部を絞り込むように付勢することで生じる弾性力によって、上記シャフトをその径方向へ押圧するように構成されており、
上記第２腕部の一部は、上記コイル部の軸方向を向いて見たときに、該コイル部を横切るように延びているコイルバネ。
【手続補正書】
【提出日】平成22年5月13日(2010.5.13)
【手続補正１】
【補正対象書類名】明細書
【補正対象項目名】全文
【補正方法】変更
【補正の内容】
【発明の詳細な説明】
【技術分野】
【０００１】
本発明は、軸受部が設けられた基体と、上記基体の軸受部に配設されるシャフトとを備えたシャフト支持構造、及びそれを備えた光ディスク装置に関するものである。
【背景技術】
【０００２】
従来より、何らかの対象物をシャフトにより支持する構造が様々な機器に採用されている。このような構造では、シャフト自体が基体に支持されており、そのシャフト支持構造も様々である。
【０００３】
例えば、特許文献１に係るシャフト支持構造においては、シャフトの一端部が、筐体に設けられた軸受孔に挿通されている。これにより、シャフトは、径方向への移動が規制されている。また、シャフトには、該シャフトを径方向に貫通する規制ピンが設けられている。筐体からは、シャフトに沿ってブラケットが延びている。このブラケットには、シャフトの径方向と平行に延びる長孔が形成されている。このブラケットの長孔に、規制ピンの一端が挿通されている。シャフトは、この規制ピンと長孔との係合によって、軸方向への移動が規制されている。
【０００４】
また、特許文献２に係るシャフト支持構造においては、シャフトにコイルバネを挿通し、このコイルバネの弾性力によってシャフトをフレームの固定部に対して押圧固定している。詳しくは、フレームには、平面視でＬ字状に切り欠かれた固定部が形成されており、シャフトがこの固定部に配置される。また、シャフトには、コイルバネが挿通されている。シャフトには、周方向に延びる溝が形成されており、コイルバネは、この溝に嵌っている。コイルバネの両端部から延びる２つの腕部は、それぞれフレームに形成された係合孔に係合している。このとき、２つの腕部は、コイルバネをその周方向へ絞り込む方向へ付勢した状態で、フレームの係合孔に係合している。その結果、コイルバネがシャフトをフレームの固定部に押圧する。これにより、シャフトは、径方向への移動が規制されている。さらに、コイルバネは、シャフトの周方向に延びる溝に嵌り込んでいるため、シャフトに対して軸方向への相対移動が規制されている。コイルバネは、前述の如く、フレームの係合孔に係合しているため、フレームに対して固定されている。つまり、シャフトは、コイルバネとフレームとの係合及び、コイルバネと溝との係合によって、軸方向への移動が規制されている。
【先行技術文献】
【特許文献】
【０００５】
【特許文献１】実開平０２−２９３０７号公報
【特許文献２】特開平０６−２３６６３５号公報
【発明の概要】
【発明が解決しようとする課題】
【０００６】
このように、シャフトは、その径方向及び軸方向への移動が規制された状態で設置されている。しかしながら、シャフトの径方向及び軸方向への移動を規制するために、その支持構造がどうしても複雑になってしまう。例えば、特許文献１に係るシャフト支持構造においては、シャフトに規制ピンを貫通させたり、筐体にブラケットを設けたりしている。また、特許文献２に係るシャフト支持構造においては、シャフトにコイルバネが係合するための溝を形成している。
【０００７】
本発明は、かかる点に鑑みてなされたものであり、その目的とするところは、簡易な構成で、シャフトの径方向及び軸方向への移動を規制することにある。
【課題を解決するための手段】
【０００８】
本発明は、軸受部が設けられた基体と、上記軸受部に配設されるシャフトとを備えたシャフト支持構造が対象である。そして、シャフト支持構造は、上記シャフトに挿通されるコイル部と、該コイル部の両端部からそれぞれ延びる第１及び第２腕部とを有するコイルバネをさらに備え、上記基体には、上記コイルバネの第１及び第２腕部がそれぞれ係合する第１及び第２係合部が設けられており、上記コイルバネは、上記第１腕部が上記基体の第１係合部に係合し且つ上記第２腕部が上記基体の第２係合部に係合することで生じる弾性力によって、上記シャフトをその径方向へ上記軸受部に対して押圧しており、上記第２腕部の一部は、上記シャフトの軸方向一端面と対向する位置に位置しているものとする。
【０００９】
また、本発明に係る光ディスク装置は、上記シャフト支持構造と、上記シャフトにスライド可能に支持された光ピックアップとを備えている。
【発明の効果】
【００１０】
本発明によれば、シャフトの径方向及び軸方向への移動の規制を、簡易な構成で実現することができる。
【図面の簡単な説明】
【００１１】
【図１】図１は、本発明の実施形態に係るドライブ装置の一部を示す斜視図である。
【図２】図２は、光ディスク装置の構造を示す斜視図である。
【図３】図３は、板バネの斜視図である。
【図４】図４は、第１シャフトの後端部周辺の拡大斜視図である。
【図５】図５は、第１シャフトの後端部周辺を上方から見た拡大平面図である。
【図６】図６は、図５のVI−VI線における断面図である。
【図７】図７は、ネジリコイルバネの斜視図である。
【図８】図８は、第１シャフトの前端部周辺の拡大斜視図である。
【図９】図９は、第１シャフトの前端部周辺を別の角度から見た拡大斜視図である。
【図１０】図１０は、図８においてネジリコイルバネを取り外した状態を示す拡大斜視図である。
【図１１】図１１は、図９においてネジリコイルバネを取り外した状態を示す拡大斜視図である。
【図１２】図１２は、第１シャフトの前端部周辺を上方から見た拡大平面図である。
【図１３】図１３は、図１２のXIII−XIII線における断面図である。
【図１４】図１４は、その他の実施形態に係る第１シャフトの前端部の支持構造を示す図１３に対応する断面図である。
【図１５】図１５は、別のその他の実施形態に係る第１シャフトの前端部の支持構造を示す図１３に対応する断面図である。
【発明を実施するための形態】
【００１２】
以下、本発明の実施形態を図面に基づいて詳細に説明する。
【００１３】
《発明の実施形態》
図１は、本発明の例示的な実施形態に係るドライブ装置１の一部を示す斜視図であり、図２は、光ディスク装置１０構造を示す斜視図であって、図１の上部筐体１１及びトレイ１３を取り外した状態を示す図である。
【００１４】
＜１．ドライブ装置１の構成＞
ドライブ装置１は、上部筐体１１と、下部筐体１２と、トレイ１３とを備える。上部筐体１１は、下部筐体１２に取り付けられている。それにより、上部筐体１１と下部筐体１２とで、側周面の１つが開口する箱状の筐体が形成される。トレイ１３は、上部筐体１１と下部筐体１２とで構成される筐体に内に配設され、１つの側周面に形成された開口から筐体の内外に進退自在に構成されている。下部筐体１２には、光ディスク装置１０が設けられている。
【００１５】
尚、本明細書中では、便宜上、上部筐体１１が位置する側を「上」、下部筐体１２が位置する側を「下」、トレイ１３が筐体から出て行く方向を（即ち、開口している側）を「前」、トレイ１３が筐体内へ入る方向を「後」とする。また、「前」を向いたときの右側を「右」、左側を「左」とする。
【００１６】
光ディスク装置１０は、図２に示すように、基体３と、スピンドル機構２１と、光ピックアップ２２と、第１シャフト２３と、第２シャフト２４と、ステッピングモータ２５と、リードスクリュ２６と、ネジリコイルバネ４と、３つの板バネ支持部５，５，…とを備えている。スピンドル機構２１、光ピックアップ２２、第１シャフト２３、第２シャフト２４、ステッピングモータ２５、リードスクリュ２６、ネジリコイルバネ４、及び３つの板バネ支持部５，５，…は、基体３に取り付けられている。そして、基体３は、４つの防振ゴム２９，２９，…を介して下部筐体１２に取り付けられている。
【００１７】
基体３は、板金により形成されたベース板３０で構成されている。ベース板３０は、前側短辺部３１と、後側短辺部３２と、右側長辺部３３と、左側長辺部３４とを有し、全体として枠形状をしている。後側短辺部３２は、右側長辺部３３の後端から左側へ延びる右後短辺部３２ａと、左側長辺部３４の後端から右側へ延びる左後短辺部３２ｂと、右後短辺部３２ａの後端縁と左後短辺部３２ｂの後端縁とを連結する中央連結部３２ｃとを有し、中央が大きく切り欠かれた形状をしている。
【００１８】
スピンドル機構２１は、スピンドルモータ及び機構部品等を含んで構成され、光ディスクを保持して、光ディスクを回転させるものである。スピンドル機構２１は、基体３の前側短辺部３１にネジにより固定されている。
【００１９】
第１シャフト２３と第２シャフト２４とは、互いに平行な状態で且つ、スピンドル機構２１を挟んだ状態で基体３に取り付けられている。詳しくは、第１シャフト２３は、スピンドル機構２１の右側に位置する一方、第２シャフト２４は、スピンドル機構２１の左側に位置し、両者は、前後方向に延びている。第１シャフト２３は、前端部がネジリコイルバネ４を介して、後端部が板バネ支持部５を介して基体３に取り付けられている。また、第２シャフト２４は、両端部がそれぞれ板バネ支持部５，５を介して基体３に取り付けられている。第１シャフト２３は、シャフトの一例である。これら第１及び第２シャフト２３，２４の支持構造の詳細については、後述する。
【００２０】
リードスクリュ２６は、基端部がステッピングモータ２５に連結されており、該ステッピングモータ２５によって回転駆動される。ステッピングモータ２５は、リードスクリュ２６が第１シャフト２３と隣り合う状態で且つ第１シャフト２３と平行な状態で基体３の右側長辺部３３に固定されている。すなわち、第１シャフト２３と、第２シャフト２４と、リードスクリュ２６は、互いに平行になっている。リードスクリュ２６の先端部は、基体３の右側長辺部３３に回転自在に支持されている。リードスクリュ２６には、ネジ溝が切り込まれている。
【００２１】
光ピックアップ２２は、光源、光学系やセンサ等が設けられた本体部２２ａを有している。本体部２２ａの右端部には、第１シャフト２３に嵌合する第１嵌合部２２ｂ，２２ｂが設けられている。また、本体部２２ａの左端部には、第２シャフト２４に嵌合する第２嵌合部２２ｃが設けられている。さらに、第１嵌合部２２ｂには、リードスクリュ２６のネジ溝に螺合する螺合部２２ｄが一体的に取り付けられている。光ピックアップ２２は、第１及び第２嵌合部２２ｂ，２２ｃがそれぞれ第１及び第２シャフト２３，２４に嵌合することによって、第１及び第２シャフト２３，２４に沿ってスライド可能な状態で第１及び第２シャフト２３，２４に支持されている。この状態において、螺合部２２ｄは、リードスクリュ２６に螺合している。
【００２２】
このように構成された光ピックアップ２２は、リードスクリュ２６がステッピングモータ２５によって回転駆動されると、螺合部２２ｄがリードスクリュ２６のネジ溝に案内されながらリードスクリュ２６の軸方向へ移動する。螺合部２２ｄがリードスクリュ２６の軸方向へ移動すると、第１嵌合部２２ｂ，２２ｂも共にリードスクリュ２６の軸方向へ、即ち、第１シャフト２３の軸方向へ移動する。こうして、光ピックアップ２２は、第１及び第２シャフト２３，２４の軸方向へ移動する。その結果、光ピックアップ２２は、スピンドル機構２１に保持された光ディスクの径方向に移動することになる。光ピックアップ２２は、光ディスクの所定の半径位置において、スピンドル機構２１により回転させられる光ディスクからデータを読み出したり、該光ディスクへデータを記録したりする。
【００２３】
＜２．板バネ支持部による第１シャフトの支持構造＞
続いて、板バネ支持部５による第１シャフト２３の支持構造について図３〜６を参照しながら説明する。図３は、板バネの斜視図であり、図４は、第１シャフト２３の後端部周辺の拡大斜視図であり、図５は、第１シャフト２３の後端部周辺を上方から見た拡大平面図であり、図６は、図５のVI−VI線における断面図である。
【００２４】
板バネ支持部５は、基体３に設けられた左縦壁部３５ａ及び右縦壁部３５ｂと、基体３に取り付けられる板バネ６と、基体３に螺合されるネジ５０とを有している。
【００２５】
板バネ６は、第１立壁部６１と、該第１立壁部６１に対向し且つ該第１立壁部６１と平行な第２立壁部６２と、第１立壁部６１の上端縁の前端部分と第２立壁部６２の上端縁の前端部分とを該第１及び第２立壁部６１，６２の上方において連結する連結部６３と、第１立壁部６１の上端縁の後端部分から第２立壁部６２側へ斜め上方に延びる押さえ部６４と、第２立壁部６２の後端縁から第１立壁部６１側へ延びる規制部６５とを有している。板バネ６は、１枚の板金を折り曲げて形成されている。
【００２６】
第１立壁部６１の下端部には、内側に折り返された折返し部６１ａが形成されている。同様に、第２立壁部６２の下端部には、内側に折り返された折返し部６２ａが形成されている。また、第１立壁部６１には、連結部６３と押さえ部６４との間に切り込み６１ｂが形成されている。押さえ部６４は、図６に示すように、連結部６３よりも板バネ６の内方に位置している。
【００２７】
基体３の右後短辺部３２ａには、右後短辺部３２ａから立設する左縦壁部３５ａと右縦壁部３５ｂとが形成されている。これら左縦壁部３５ａ及び右縦壁部３５ｂは、右後短辺部３２ａの左前の角部に設けられている。左縦壁部３５ａと右縦壁部３５ｂとの間隔は、第１シャフト２３の外径よりも少し広くなっている。右後短辺部３２ａには、右縦壁部３５ｂの後方位置に、前後方向に延びる係合孔３５ｃが貫通形成されている。また、右後短辺部３２ａには、係合孔３５ｃの左側にネジ孔３５ｄが貫通形成されている。このネジ孔３５ｄには、右後短辺部３２ａの裏側（即ち、スピンドル機構２１が設けられている側とは反対側）からネジ５０が螺合されている。
【００２８】
続いて、第１シャフト２３の後端部の支持構造の組立について説明する。
【００２９】
まず、後側短辺部３２の右後短辺部３２ａに、上記板バネ６が取り付けられる。詳しくは、板バネ６の第２立壁部６２の折返し部６２ａを右後短辺部３２ａの左端縁に引っ掛けると共に、板バネ６の第１立壁部６１の折返し部６１ａを右後短辺部３２ａの係合孔３５ｃに挿通して右後短辺部３２ａの裏面に係止させる。
【００３０】
次に、第１シャフト２３の後端部を、左縦壁部３５ａと右縦壁部３５ｂとの間を通して、板バネ６内に挿通させる。この状態では、第１シャフト２３は、板バネ６内において上下方向に移動する余裕がある。その後、ネジ５０を右後短辺部３２ａのネジ孔３５ｄに裏側から螺合する。このネジ孔３５ｄは、第１シャフト２３の下方に位置する。そのため、ネジ５０をねじ込むと、ネジ５０の先端が第１シャフト２３に当接して第１シャフト２３を上方へ押し上げる。やがて、第１シャフト２３は、板バネ６の押さえ部６４に当接する。さらに、ネジ５０をねじ込むと、押さえ部６４が弾性変形して、第１シャフト２３を左斜め下方に押圧する。この押さえ部６４の弾性力は、左向き成分と下向き成分とに分解され、それぞれが第１シャフト２３を左縦壁部３５ａ及びネジ５０に対して押圧する。こうして、第１シャフト２３の後端部は、押さえ部６４、左縦壁部３５ａ及びネジ５０の３点で支持され、径方向の移動が規制される。このとき、第１シャフト２３の後端面の軸方向後方の位置には、板バネ６の規制部６５が位置している。つまり、第１シャフト２３の後端面は、規制部６５と対向している。そのため、仮に、第１シャフト２３が軸方向後方に移動したとしても、第１シャフト２３は規制部６５に当接し、それ以上の軸方向後方への移動が規制される。尚、第１シャフト２３の後端面と板バネ６の規制部６５とは、始めから当接していてもよい。
【００３１】
尚、この状態において、右縦壁部３５ｂは第１シャフト２３と当接していないため、省略してもよい。ただし、第１シャフト２３を板バネ６内に設置するときに第１シャフト２３の位置が安定し、組立性が向上するため、右縦壁部３５ｂを設ける方が好ましい。
【００３２】
また、組立順序は上述の順序に限られるものではなく、組み立てることができる限りにおいては、任意の順序で組み立てることができる。例えば、板バネ６に第１シャフト２３の後端部を挿通した状態で、該板バネ６を右後短辺部３２ａに取り付けてもよい。また、ネジ５０を予め右後短辺部３２ａに螺合させておいてもよい。
【００３３】
＜３．ネジリコイルバネによる第１シャフトの支持構造＞
次に、ネジリコイルバネ４による第１シャフト２３の支持構造について、図７〜図１３を参照しながら詳しく説明する。図７は、ネジリコイルバネ４の斜視図であり、図８は、第１シャフト２３の前端部周辺の拡大斜視図であり、図９は、第１シャフト２３の前端部周辺を別の角度から見た拡大斜視図であり、図１０は、図８においてネジリコイルバネ４を取り外した状態を示す拡大斜視図であり、図１１は、図９においてネジリコイルバネ４を取り外した状態を示す拡大斜視図であり、図１２は、第１シャフト２３の前端部周辺を上方から見た拡大平面図であり、図１３は、図１２のXIII−XIII線における断面図である。
【００３４】
ネジリコイルバネ４は、金属で構成されている。ネジリコイルバネ４は、図３に示すように、コイル状に巻回されたコイル部４０と、コイル部４０の一端からコイル部４０の接線方向に延びる第１腕部４１と、コイル部４０の他端からコイル部４０の接線方向に延びる第２腕部４２とを有している。コイル部４０の内径は、第１シャフト２３の外径よりも大きくなっている。つまり、コイル部４０内に、第１シャフト２３が挿通可能となっている。第１腕部４１の先端部は、コイル部４０の軸方向に向かって見たときに（図１３参照）、コイル部４０とは反対側へ屈曲している。第２腕部４２は、コイル部４０の他端部から接線方向に延びる接線部４３と、接線部４３の先端から屈曲してコイル部４０の軸方向に延びる軸方向部４４と、軸方向部４４の先端から屈曲して接線部４３と平行に延びる平行部４５と、平行部４５の先端から屈曲して、コイル部４０の軸方向に向かって見たときに（図１３参照）、コイル部４０を横切るように延びる横断部４６とを有している。第２腕部４２の接線部４３は、コイル部４０の軸方向に向かって見たときに（図１３参照）、第１腕部４１とのなす角が９０°よりも少し大きくなる方向へ延びている。このネジリコイルバネ４は、コイルバネの一例である。
【００３５】
基体３の前側短辺部３１には、スピンドル機構２１の右側の位置に軸受部７が設けられている。軸受部７は、前側短辺部３１の一部を折り曲げて形成されており、前側短辺部３１に対して略垂直になっている。軸受部７は、前側短辺部３１と連結され且つ前側短辺部３１と平行な底壁部７１と、底壁部７１の両端部から上方に延びる右縦壁部７２及び左縦壁部７３とを有している。すなわち、軸受部７は、概ねＵ字状をして、上方に開口している。軸受部７は、Ｕ字状の内側端面が軸受として機能する。
【００３６】
右縦壁部７２からは、鉤状部７４が前方へ向かって延びている。鉤状部７４は、先端部が鉤状に形成されている。詳しくは、鉤状部７４は、右縦壁部７２から前方へ向かって延びた後、上方へ向かって湾曲し、その後、後方へ向かって湾曲し、最後に、下方へ向かって湾曲している。こうして、鉤状部７４の先端部は、後方へ開口する鉤状に形成されている。この鉤状部７４が、第２係合部の一例である。
【００３７】
また、基体３の前側短辺部３１には、軸受部７よりも前側の位置に、第１係合孔３６が貫通形成されている。第１係合孔３６は、略方形状をしている。この第１係合孔３６が、第１係合部の一例である。
【００３８】
さらに、前側短辺部３１には、第１係合孔３６及び鉤状部７４よりも前方の位置に、第２係合孔３７が形成されている。詳しくは、第２係合孔３７は、左右方向、即ち、平面視で、第１シャフト２３の軸方向と直交する方向に延びる長孔である。第２係合孔３７は、左右方向において左に向かうにつれて幅が段階的に減少するように、第２係合孔３７の前端縁が段差形状となっている。詳しくは、第２係合孔３７の前端縁は、最も右側に位置し後端縁と平行に（即ち、左右方向に）延びる第１平行部３７ａと、第１平行部３７ａの左端から左斜め後方に延びる第１傾斜部３７ｂと、第１傾斜部３７ｂの左端から後端縁と平行に（即ち、左右方向に）延びる第２平行部３７ｃと、第２平行部３７ｃの左端から左斜め後方に延びる第２傾斜部３７ｄとを有している。平面視において、第２平行部３７ｃは、軸受部７の底壁部７１の前方に位置している。この第２係合孔３７が、第３係合部の一例である。
【００３９】
続いて、第１シャフト２３の前端部の支持構造の組立について説明する。
【００４０】
まず、第１シャフト２３を、軸受部７に対して、その内側端面に当接するように上方から設置する。
【００４１】
次に、第１シャフト２３の前端部に前方からネジリコイルバネ４のコイル部４０を挿通する。このとき、第１腕部４１が後方に、第２腕部４２が前方に位置する状態で、コイル部４０を第１シャフト２３に挿通する。さらに、このとき、第１腕部４１の先端部が基体３の第１係合孔３６に挿通されるようにしながら、コイル部４０を第１シャフト２３に挿通する。
【００４２】
この状態において、ネジリコイルバネ４の第２腕部４２の接線部４３、軸方向部４４及び平行部４５は、第１シャフト２３から右斜め上方に延びており、基体３の鉤状部７４よりも上方に位置している。また、ネジリコイルバネ４の横断部４６は、その先端部が基体３の第２係合孔３７に挿通されている。
【００４３】
続いて、第２腕部４２を基体３側へ押し下げて、第２腕部４２の接線部４３を鉤状部７４に係合させる。このとき、第１シャフト２３の軸方向（即ち、前後方向）において、第２腕部４２の接線部４３は、鉤状部７４の先端部よりも前方に位置しているため、接線部４３を斜め後方に押し下げる。接線部４３を、十分に押し下げた後、前方へ移動させて、鉤状部７４に対して後方から係合させる。
【００４４】
この状態において、図１３に示すように、第１腕部４１は、基体３の第１係合孔３６に係合して、第１係合孔３６の辺縁部から矢印Ａ１の方向への力を受ける。一方、第２腕部４２は、鉤状部７４に係合して、鉤状部７４から矢印Ａ２の方向への力を受ける。その結果、コイル部４０は、巻回方向に絞り込まれるように付勢されると共に、第１腕部４１と第２腕部４２とでなす角の二等分線の方向（矢印Ｂの方向）へ第１シャフト２３を押圧することになる。この矢印Ｂの方向は、右斜め下方を向いている。このネジリコイルバネ４の弾性力は、右向き成分と下向き成分とに分解され、それぞれが第１シャフト２３を軸受部７の右縦壁部７２及び底壁部７１に対して押圧する。こうして、第１シャフト２３の前端部は、ネジリコイルバネ４、軸受部７の右縦壁部７２及び底壁部７１の３点で支持され、径方向への移動が規制される。
【００４５】
尚、ネジリコイルバネ４による支持状態において、左縦壁部７３は第１シャフト２３と当接していないため、省略してもよい。ただし、第１シャフト２３を軸受部７に設置するときに第１シャフト２３の位置が安定し、組立性が向上するため、左縦壁部７３を設ける方が好ましい。
【００４６】
また、第２腕部４２を鉤状部７４に係合させるときに、第２腕部４２の横断部４６は、第２係合孔３７内をその前端縁に沿って左側へ移動していく。すなわち、コイル部４０を第１シャフト２３に挿通させただけの状態においては、横断部４６は、第２係合孔３７の第１平行部３７ａ又は第１傾斜部３７ｂに当接している。そして、横断部４６は、第２腕部４２が押し下げられるにつれて、第２係合孔３７の第１傾斜部３７ｂ及び第２平行部３７ｃに沿って左側へ移動していく。最終的に、第２腕部４２が鉤状部７４に係合したときには、横断部４６は、第２係合孔３７のうち、第２平行部３７ｃと第２傾斜部３７ｄとで形成される隅部に位置する。その結果、横断部４６は、第１シャフト２３の前端面（即ち、軸方向一端面）に対して軸方向前方に位置する。すなわち、横断部４６は、第１シャフト２３の前端面と対向する位置に位置している。横断部４６は、第２係合孔３７の第２平行部３７ｃと係合して前方への移動が規制されている。さらに、第２腕部４２において横断部４６の基端側に位置する接線部４３は鉤状部７４に係合して前方への移動が規制されている。そのため、仮に、第１シャフト２３が軸方向前方に移動したとしても、第１シャフト２３は第２腕部４２の横断部４６に当接し、第２腕部４２の接線部４３、軸方向部４４、平行部４５及び横断部４６の弾性力によって軸方向後方へ押し返される（図８の矢印Ｃ参照）。こうして、第１シャフト２３は、軸方向前方への移動が規制される。尚、第１シャフト２３の前端部とネジリコイルバネ４の横断部４６とは、始めから当接していてもよい。
【００４７】
尚、組立順序は上述の順序に限られるものではなく、組み立てることができる限りにおいては、任意の順序で組み立てることができる。例えば、ネジリコイルバネ４を第１シャフト２３の一端部に挿通した状態で、ネジリコイルバネ４の第１腕部４１の先端部を基体３の第１係合孔３６に挿通しながら、該第１シャフト２３を軸受部７に設置するようにしてもよい。
【００４８】
第１シャフト２３の前端部の支持構造と後端部の支持構造とは、どちらを先に組み立ててもよい。例えば、第１シャフト２３の後端部をネジ５０を締め付けない状態で板バネ支持部５により支持した後、第１シャフト２３の前端部をネジリコイルバネ４により支持し、最終的に、ネジ５０を締め付けるように組み立ててもよい。また、第１シャフト２３のピッチ方向への傾き（即ち、上下方向への傾き）は、前端部の軸受部７を基準として、後端部のネジ５０で調節することができる。
【００４９】
尚、第２シャフト２４については、前端部も後端部も板バネ支持部５，５で支持されている。そのため、第２シャフト２４のピッチ方向への傾きは、前端部の板バネ支持部５のネジ（図示省略）と後端部の板バネ支持部５のネジ（図示省略）の両方で調整することができる。
【００５０】
したがって、本実施形態によれば、ネジリコイルバネ４の第１腕部４１と第２腕部４２とをコイル部４０を絞り込む状態で基体３に係合させることによって、第１シャフト２３を軸受部７に押圧して支持することができる。具体的には、第１シャフト２３を、ネジリコイルバネ４のコイル部４０と、基体３における軸受部７の底壁部７１と右縦壁部７２との３点で支持することができる。これにより、第１シャフト２３の径方向への移動を規制することができる。このとき、第２腕部４２を、第１シャフト２３の軸方向前方に位置させることによって、仮に第１シャフト２３が軸方向前方へ移動したとしても、第１シャフト２３が第２腕部４２に当接するようになる。これにより、第１シャフト２３の軸方向への移動を規制することができる。その結果、第１シャフト２３が前方へ移動して、第１シャフト２３の後端部が板バネ支持部５から抜けてしまうことを防止することができる。このように、軸受部７とネジリコイルバネ４という簡易な構成によって、第１シャフト２３の径方向への移動と軸方向への移動を規制することができる。
【００５１】
このとき、第２腕部４２は、接線部４３が基体３の鉤状部７４に係合して前方への移動が規制されている。つまり、第１シャフト２３が前方へ移動して第２腕部４２の横断部４６に当接したとしても、ネジリコイルバネ４の前方への移動が規制されているため、第１シャフト２３の移動を横断部４６で受け止めることができる。
【００５２】
さらに、第１シャフト２３の前端面と対向する、第２腕部４２の横断部４６は、基体３の第２係合孔３７の前端縁に係合しているため、第１シャフト２３の軸方向前方への移動を基体３で受け止めることができる。つまり、横断部４６が自由端となっている構成と比較して、第１シャフト２３の軸方向前方への移動をより強い力で規制することができる。
【００５３】
また、第１シャフト２３がネジリコイルバネ４のコイル部４０を貫通しているため、第１腕部４１及び第２腕部４２の基体３との係合によるネジリコイルバネ４の押圧力を第１シャフト２３に十分に伝えることができる。すなわち、第１腕部４１及び第２腕部４２をコイル部４０を絞り込むように付勢したとしても、コイル部４０において大きな付勢力が発生するのは、第１腕部４１や第２腕部４２に近い両端部、即ち、コイル部４０の軸方向両端部である。そして、第１シャフト２３にコイル部４０を貫通させることによって、コイル部４０の軸方向両端部が第１シャフト２３に巻回されることになる。こうして、コイル部４０の軸方向両端部を第１シャフト２３に巻回させることによって、ネジリコイルバネ４の押圧力を第１シャフト２３に効率良く伝えることができる。その結果、第１シャフト２３の径方向への移動を強い力で規制することができる。
【００５４】
さらに、第２腕部４２を折り返した形状とすることによって、第２腕部４２の先端部を第１シャフト２３の軸方向前方の位置に位置させることが容易にできる。また、第２腕部４２に折り返した部分を形成することによって、第２腕部４２を基体３側の部材（即ち、鉤状部７４）に係合させるべく第２腕部４２を押圧する際に指を掛ける部分を形成することができる。その結果、第２腕部４２を押圧するときの操作性を向上させることができる。
【００５５】
また、ネジリコイルバネ４は、第１シャフト２３に対しては挿通するだけであって、基体３と係合させているため、組立性を向上させることができる。すなわち、ネジリコイルバネ４を第１シャフト２３に予め取り付けておかなくても、第１シャフト２３を軸受部７に設置した後で、ネジリコイルバネ４を第１シャフト２３に挿通させて、該ネジリコイルバネ４を基体３に係合させることで、第１シャフト２３の支持構造を組み立てることができる。つまり、第１シャフト２３を軸受部７に設置する際には、第１シャフト２３には弾性力等の外部からの力が作用しておらず、軸受部７に容易に設置することができる。
【００５６】
《その他の実施形態》
本発明は、上記実施形態について、以下のような構成としてもよい。
【００５７】
上記実施形態では、光ディスク装置１０におけるシャフト支持構造について説明したが、これに限られるものではない。例えば、プリンタ装置のヘッドをスライド自在に支持するシャフトに、上記実施形態に係るシャフト支持構造を採用してもよい。つまり、上記実施形態に係るシャフト支持構造は、何らかの対象物を支持するシャフトであれば、任意のシャフトに採用することができる。
【００５８】
上記基体３は、第１シャフト２３を支持する基礎となる部分の一例であって、上記の構成に限られるものではない。例えば、基体３は、板金で形成されている必要はなく、ブロック状の部材で形成されていてもよい。
【００５９】
第１シャフト２３の後端部、及び第２シャフト２４の両端部は、板バネ支持部５，５，…で支持しているが、これに限られるものではない。すなわち、第１シャフト２３の後端部、及び第２シャフトの両端部を基体３に対して軸方向への移動と径方向への移動とを規制できるものであれば、任意の構造を採用することができる。尚、第１シャフト２３の後端部、及び第２シャフト２４の両端部も、ネジリコイルバネ４を用いて支持してもよい。
【００６０】
また、第１シャフト２３は、コイル部４０を貫通しているが、これに限られるものではない。すなわち、コイル部４０の全てが第１シャフト２３に巻回されている必要はない。
【００６１】
さらに、コイル部４０は、何重にも巻回されているが、１回巻回されているだけであってもよい。本明細書において、「コイル」とは、少なくとも１回巻回されている形状を意味する。
【００６２】
さらにまた、第１及び第２腕部４１，４２は、コイル部４０の接線方向に延びているが、これに限られるものではない。例えば、第１及び第２腕部４１，４２は、コイル部４０の軸方向を向いて見たときに、コイル部４０の接線方向よりもコイル部４０から離れる方向へ、即ち、径方向外側へ延びていてもよいし、コイル部４０の接線方向よりもコイル部４０の内周側へ、即ち、コイル部４０を横断するように延びていてもよい。
【００６３】
例えば、第２腕部４２は、コイル部４０の軸方向を向いて見たときに、コイル部４０の端部からコイル部４０を横断するように延びていてもよい。詳しくは、図１４に示すように、第２腕部４２は、コイル部４０の端部からコイル部４０の径方向内側へ延びて、コイル部４０を横断していてもよい。あるいは、図１５に示すように、第２腕部４２は、コイル部４０の端部からコイル部４０の径方向内側へ延びて、コイル部４０の軸心近傍において略９０°屈曲してコイル部４０の径方向外側へ延びて、コイル部４０を横断していてもよい。何れの場合であっても、第１シャフト２３は、コイル部４０を貫通しておらず、コイル部４０の軸方向前側の最外周は第１シャフト２３に巻回されていない。つまり、第２腕部における、コイル部４０を横断する部分は、第１シャフト２３の軸方向前方に位置するようになり、第１シャフト２３の軸方向前端面と対向する。また、この場合、鉤状部７４は、第２腕部４２をコイル部４０を絞り込む方向へ付勢する機能と、第２腕部４２の前方への移動を規制する機能を果たす。そのため、上記第２腕部４２の軸方向部４４、平行部４５及び横断部４６、並びに基体３の第２係合孔３７は無くてもよい。これらが無くても、第２腕部４２は鉤状部７４により前方への移動が規制されているため、仮に第１シャフト２３が前方へ移動して第２腕部４２に当接したとしても、第１シャフト２３のそれ以上の前方への移動を規制することができる。
【００６４】
また、基体３の第１係合孔３６は、ネジリコイルバネ４の第１腕部４１をコイル部４０を絞り込む方向に付勢できる構成であれば、孔の形状に限られるものではない。同様に、基体３の第２係合孔３７は、ネジリコイルバネ４の第２腕部４２の横断部４６の前方への移動を規制できる構成であれば、孔の形状に限られるものではない。どちらについても、例えば、基体３から立設するリブやブロックであってもよい。尚、これらのリブやブロックは、基体３と一体に形成されているものに限らず、基体３とは別体として形成されて基体３に取り付けられたものであってもよい。
【００６５】
さらに、鉤状部７４は、上記の構成に限られるものではない。すなわち、鉤状部７４は、軸受部７と一体的に構成されている必要はなく、基体３に対して固定的に設けられた構成であればよい。すなわち、鉤状部７４は、基体３のベース板３０に一体に形成されていてもよく、ベース板３０と別体として形成されてベース板３０に取り付けられたものであってもよい。
【００６６】
尚、以上の実施形態は、本質的に好ましい例示であって、本発明、その適用物、あるいはその用途の範囲を制限することを意図するものではない。
【産業上の利用可能性】
【００６７】
以上説明したように、本発明は、軸受部が設けられた基体と、上記基体の軸受部に配設されるシャフトとを備えたシャフト支持構造について有用である。
【符号の説明】
【００６８】
１０    光ディスク装置
２２    光ピックアップ
２３    第１シャフト（シャフト）
３      基体
３６    第１係合孔（第１係合部）
３７    第２係合孔（第３係合部）
４      ネジリコイルバネ（コイルバネ）
４０    コイル部
４１    第１腕部
４２    第２腕部
７      軸受部
７４    鉤状部（第２係合部）
【手続補正２】
【補正対象書類名】特許請求の範囲
【補正対象項目名】全文
【補正方法】変更
【補正の内容】
【特許請求の範囲】
【請求項１】
軸受部が設けられた基体と、上記軸受部に配設されるシャフトとを備えたシャフト支持構造であって、
上記シャフトに挿通されるコイル部と、該コイル部の両端部からそれぞれ延びる第１及び第２腕部とを有するコイルバネをさらに備え、
上記基体には、上記コイルバネの第１及び第２腕部がそれぞれ係合する第１及び第２係合部が設けられおり、
上記コイルバネは、上記第１腕部が上記基体の第１係合部に係合し且つ上記第２腕部が上記基体の第２係合部に係合することで生じる弾性力によって、上記シャフトをその径方向へ上記軸受部に対して押圧しており、
上記第２腕部の一部は、上記シャフトの軸方向一端面と対向する位置に位置しているシャフト支持構造。
【請求項２】
請求項１に記載のシャフト支持構造において、
上記第１及び第２腕部の少なくとも一方は、係合する第１又は第２係合部によって、上記コイル部が上記シャフトから抜ける方向への移動が規制されているシャフト構造。
【請求項３】
請求項１又は２に記載のシャフト支持構造において、
上記基体には、上記第２腕部の先端部が係合する第３係合部が設けられており、
上記第２腕部は、上記第２係合部に係合する部分と上記第３係合部に係合する部分との間の部分が、上記シャフトの軸方向一端面と対向する位置に位置しているシャフト支持構造。
【請求項４】
請求項１乃至３の何れか１つに記載のシャフト支持構造において、
上記シャフトは、上記コイルバネのコイル部を貫通しているシャフト支持構造。
【請求項５】
請求項１乃至４の何れか１つに記載のシャフト支持構造と、
上記シャフトにスライド可能に支持された光ピックアップとを備えた光ディスク装置。
【請求項６】
基体にシャフトを支持するためのコイルバネであって、
請求項１に記載のシャフト支持構造に用いられるコイルバネ。
【請求項７】
軸受部が設けられ、該軸受部にシャフトを支持する基体であって、
請求項１に記載のシャフト支持構造に用いられる基体。
【請求項８】
基体にシャフトを支持するためのコイルバネであって、
シャフトに挿通されるコイル部と、該コイル部の両端部からそれぞれ延びる第１及び第２腕部とを有し、
上記第１腕部及び上記第２腕部を、前記コイル部を絞り込むように付勢することで生じる弾性力によって、上記シャフトをその径方向へ押圧するように構成されており、
上記第２腕部の一部は、上記コイル部の軸方向を向いて見たときに、該コイル部を横切るように延びているコイルバネ。
【手続補正３】
【補正対象書類名】図面
【補正対象項目名】全図
【補正方法】変更
【補正の内容】
【図１】
2010079571.tif 000018
【図２】
2010079571.tif 000019
【図３】
2010079571.tif 000020
【図４】
2010079571.tif 000021
【図５】
2010079571.tif 000022
【図６】
2010079571.tif 000023
【図７】
2010079571.tif 000024
【図８】
2010079571.tif 000025
【図９】
2010079571.tif 000026
【図１０】
2010079571.tif 000027
【図１１】
2010079571.tif 000028
【図１２】
2010079571.tif 000029
【図１３】
2010079571.tif 000030
【図１４】
2010079571.tif 000031
【図１５】
2010079571.tif 000032
【国際調査報告】
2010079571.tif 000033
2010079571.tif 000034